(57)【要約】  ＲＤＳデータにおけるＴＭＣデータを含むグループタイプ８Ａ間の間隔を、ＲＤＳクロックに同期してカウントするカウンタ１５を備え、ラジオ制御部１７が、サブチューナフロントエンド７を制御して、グループタイプ８Ａを受信すると共に、上記カウンタのカウント中はＴＭＣデータの受信以外のラジオ処理を実行する。
2010004676.tif 000002
【特許請求の範囲】
【請求項１】
放送局から放送信号を受信してラジオ音声を再生する第１の受信系統部と、前記放送信号中のＲＤＳ（Radio Data System）データを受信する第２の受信系統部とを備えた受信装置において、
前記第２の受信系統部は、
前記放送信号からＲＤＳデータ及びこれに同期するＲＤＳクロックを復調するＲＤＳ復調部と、
前記ＲＤＳデータにおける交通情報を含むグループタイプ間の間隔を、前記ＲＤＳクロックに同期してカウントするカウンタと、
前記交通情報を含むグループタイプを受信すると共に、前記カウンタのカウント中は前記交通情報の受信以外のラジオ処理を実行するラジオ制御部とを備えた受信装置。
【請求項２】
第２の受信系統部は、交通情報を含むグループタイプ間の間隔で受信したグループタイプ数を計測し、グループタイプ数の最小値をギャップとして規定する最小ギャップ計測部を備え、
カウンタは、ＲＤＳクロックに同期して前記ギャップ分の間隔をカウントする第１のカウンタを備え、
ラジオ制御部は、前記第１のカウンタのカウント中は前記交通情報の受信以外のラジオ処理を実行することを特徴とする請求項１記載の受信装置。
【請求項３】
カウンタは、交通情報を含むグループタイプの受信後、同一内容の交通情報を含むグループタイプの受信をスキップして、次の新たな交通情報を含むグループタイプが受信されるまでの間隔を、ＲＤＳクロックに同期してカウントする第２のカウンタを備え、
ラジオ制御部は、前記第２のカウンタのカウント中は前記交通情報の受信以外のラジオ処理を実行することを特徴とする請求項２記載の受信装置。
【請求項４】
カウンタは、ＲＤＳデータが受信断となった時点から交通情報の受信待ちを行う待機間隔を、ＲＤＳクロックに同期してカウントする第３のカウンタと、前記第３のカウンタによる前記待機間隔のカウント完了時点から所定のラジオ処理用間隔を、前記ＲＤＳクロックに同期してカウントする第４のカウンタとを備え、
ラジオ制御部は、前記第３のカウンタのカウント中は前記交通情報の受信待ちを行い、前記第４のカウンタのカウント中は前記交通情報の受信以外のラジオ処理を実行することを特徴とする請求項３記載の受信装置。
【発明の詳細な説明】
【技術分野】
【０００１】
この発明は、車載用の受信装置に係り、特にＲＤＳ（Radio Data System）局から放送される交通情報（ＴＭＣ；Traffic Message Channel）を受信する受信装置に関するものである。
【背景技術】
【０００２】
例えば、特許文献１に開示される従来の受信装置は、視聴者によって選択された所定の放送局の放送をメインチューナで受信するとともに、バックグラウンドチューナ（サブチューナ）によってＲＤＳ放送局から放送されたＲＤＳデータブロック（以下、グループタイプと称す）を受信する。このとき、ＴＭＣデータを含む特定のグループタイプと異種のグループタイプとの間の伝送時間を推定し、この伝送時間で代替局の探索等のラジオ処理（タスク）を実行し、上記伝送時間が経過するとＴＭＣデータの受信を再開する。このようにすることで、ダイバーシチ（代替局の探索）機能を損なうことなく、バックグラウンドチューナを用いてＴＭＣデータを安定して受信できる。
【先行技術文献】
【特許文献】
【０００３】
【特許文献１】特開２００４−３４３７４５号公報
【０００４】
しかしながら、従来の受信装置では、ＴＭＣデータ間の伝送時間を推定することから、伝送時間の推定の精度が不足するとＴＭＣデータを安定して受信できない可能性がある。また、ＲＤＳデータの受信自体が不可能な状態に陥ると、受信が一時的に途切れた場合であっても再び伝送時間を推定し直す必要があり、復帰が遅くなるという課題があった。【０００５】
この発明は、上記のような課題を解決するためになされたもので、ＴＭＣデータを安定して受信することができ、またＲＤＳデータが受信不能となっても復帰後直ちにＴＭＣデータの受信が可能な受信装置を得ることを目的とする。
【発明の概要】
【０００６】
この発明に係る受信装置は、放送局から放送信号を受信してラジオ音声を再生する第１の受信系統部と、前記放送信号中のＲＤＳデータを受信する第２の受信系統部とを備えた受信装置において、前記第２の受信系統部が、前記放送信号からＲＤＳデータ及びこれに同期するＲＤＳクロックを復調するＲＤＳ復調部と、前記ＲＤＳデータにおける交通情報を含むグループタイプ間の間隔を、前記ＲＤＳクロックに同期してカウントするカウンタと、前記交通情報を含むグループタイプを受信すると共に、前記カウンタのカウント中は前記交通情報の受信以外のラジオ処理を実行するラジオ制御部とを備えるものである。
【０００７】
この発明によれば、ＲＤＳデータにおける交通情報（ＴＭＣデータ）を含むグループタイプ間の間隔を、ＲＤＳクロックに同期してカウントするカウンタを備え、ラジオ制御部が、交通情報を含むグループタイプを受信すると共に、カウンタのカウント中は交通情報の受信以外のラジオ処理を実行する。このようにすることで、ＲＤＳクロックに同期してＴＭＣデータを精度良く受信でき、かつＴＭＣデータの合間を適確に特定できることから、代替局の探索などのラジオ処理を効率良く実行することができるという効果がある。
【図面の簡単な説明】
【０００８】
【図１】この発明の実施の形態１による受信装置を適用したラジオ受信機の構成を示すブロック図である。
【図２】受信局切り替え制御部の構成及びその周辺構成要素を示すブロック図である。
【図３】図２中のカウンタＡ〜Ｄの一例を説明するための図である。
【図４】図１中のラジオ受信機による動作の流れを示すフローチャートである。
【図５】サブチューナが安定してＴＭＣデータを受信できる場合の処理を説明するための図である。
【図６】サブチューナが一時的にＴＭＣデータを受信できなかった場合の処理を説明するための図である。
【図７】サブチューナがＴＭＣデータを受信できず、カウンタＣがタイムアウトした場合の処理を説明するための図である。
【発明を実施するための形態】
【０００９】
以下、この発明を詳細に説明するために、この発明を実施するための形態について、添付の図面に従って説明する。
実施の形態１．
図１は、この発明の実施の形態１による受信装置を適用したラジオ受信機の構成を示すブロック図である。図１において、実施の形態１によるラジオ受信機１は、メインとサブの２つのチューナを有しており、ラジオアンテナ２、メインチューナフロントエンド３、音声処理回路４、増幅回路５、スピーカ６、サブチューナフロントエンド７、バンドパスフィルタ８、ＲＤＳ復調器（ＲＤＳ復調部）９、ＣＰＵ１０及び表示器１１を備える。
【００１０】
ラジオ受信機１は、ラジオアンテナ２を介して複数の放送波を受信し、これら放送波がメインチューナフロントエンド３によって検波され、音声処理回路４及び増幅回路５に与えられる。これらメインチューナフロントエンド３、音声処理回路４、増幅回路５及びＣＰＵ１０におけるラジオ音声の再生処理に関わる要素が、放送波（放送信号）からラジオ音声を再生する第１の受信系統部を構成する。
【００１１】
また、メインチューナフロントエンド３は、ＲＦ回路３ａ、ミキサ回路３ｂ及び検波回路３ｃを備える。ＲＦ回路３ａは、ラジオアンテナ２からの受信信号を選局して高周波増幅する。ミキサ回路３ｂは、ＲＦ回路３ａで高周波増幅された信号と局部発振周波数信号とを混合して、中間周波数（ＩＦ；Intermediate Frequency；１０．７ＭＨｚ）信号を生成する。検波回路３ｃは、ミキサ回路３ｂで生成された中間周波数信号から変調された信号を検波する。
【００１２】
音声処理回路４は、メインチューナフロントエンド３からの信号を音声処理する構成要素であり、例えばステレオ信号に分離する。増幅回路５は、音声処理回路４の出力をスピーカ６で音声出力可能な電力まで増幅する。スピーカ６は、増幅回路５で増幅された信号を入力し、ラジオ音声を出力する。
【００１３】
また、サブチューナフロントエンド７、バンドパスフィルタ８、ＲＤＳ復調器９及びＣＰＵ１０におけるＲＤＳデータの再生処理に関わる要素が、放送波（放送信号）から抽出したＲＤＳデータを再生する第２の受信系統部を構成する。
サブチューナフロントエンド７では、ラジオアンテナ２を介してＲＤＳ局からの放送を受信し検波した後、バンドパスフィルタ８へ出力する。なお、サブチューナフロントエンド７は、ＲＦ回路７ａ、ミキサ回路７ｂ及び検波回路７ｃを備える。ＲＦ回路７ａは、ラジオアンテナ２からの受信信号を選局して高周波増幅する。ミキサ回路７ｂは、ＲＦ回路７ａの出力から中間周波数信号を生成する。検波回路７ｃは、ミキサ回路７ｂで生成された中間周波数信号から変調された信号を検波する。
【００１４】
バンドパスフィルタ８では、メインチューナフロントエンド３からの信号のうち、周波数５７ｋＨｚのＲＤＳ変調信号と１９ｋＨｚのパイロットトーンのみを通過させる。ＲＤＳ復調器９は、バンドパスフィルタ８を通過したＲＤＳ変調信号を復調してＲＤＳクロック及びＲＤＳデータを生成する。ＲＤＳ変調信号がない場合、パイロットトーンを１６分周してＲＤＳクロックと同一のクロックを生成する。
【００１５】
ＣＰＵ１０は、フロントエンド３，７及び音声処理回路４を制御し、ＲＤＳ復調器９で復調されたＲＤＳデータから抽出したＴＭＣデータやＴＭＣ情報の受信以外のラジオ処理（タスク）で得られたデータから表示データを作成する。表示器１１は、ＣＰＵ１０で作成された表示データを入力し、当該表示データで規定されるＴＭＣ情報やその他のラジオ情報を表示画面上に表示する。
【００１６】
サブチューナフロントエンド７は、上述したＴＭＣデータの受信に加え、下記のようなラジオ処理（タスク）を実行する。
（１）現在受信可能な放送局をリスト化して保持し、常にアップデートする機能（ステーションリスト）。
（２）メインチューナフロントエンド３での受信状態が悪化した際、同一内容を放送する代替局（ＡＦ局；Alternative Frequecy）を検索する機能（ＡＦサーチ）。
（３）ＥＯＮ（Enhanced Other Network；拡張ネットワーク）局へのＴＡ（Traffic Announcement；交通情報）割り込み機能。
上述した（１）〜（３）等の機能は、サブチューナフロントエンド７でＴＭＣ受信局以外の放送局を受信することにより実現できる。つまり、ＴＭＣデータを受信している放送局と他の放送局を切り替えることにより、双方のタスクを両立させることが必要である。
【００１７】
なお、ＣＰＵ１０が、この発明の趣旨に従うタスク切り替え処理用プログラムを実行することにより、ソフトウェアとハードウェアが協働した具体的な手段として受信局切り替え制御部が具現化される。この受信局切り替え制御部は、ＣＰＵ１０が入力したＲＤＳデータ及びＲＤＳクロックを利用してサブチューナフロントエンド７を制御し、ＴＭＣデータを適確に受信しつつ、ＴＭＣデータの合間で他のラジオ処理（タスク）を実行する。
【００１８】
図２は、上述した受信局切り替え制御部の構成及びその周辺構成要素を示すブロック図である。図２において、図１中のバンドパスフィルタ８の記載は省略している。図２に示すように、受信局切り替え制御部１０Ａは、デコーダ１２、最小ギャップ計測部１３、演算部１４、カウンタ群（カウンタ）１５、適用カウンタ決定部１６、及びラジオ制御部１７を備える。
【００１９】
デコーダ１２は、ＲＤＳ復調器９により生成されたＲＤＳデータ及びＲＤＳクロックを入力し、ＲＤＳデータをデコードして抽出したＴＭＣデータやＴＭＣ情報の受信以外のラジオ処理（タスク）で得られたデータから表示データを作成する。この表示データで規定される情報が、表示器１１の表示画面上に表示される。
【００２０】
ＲＤＳデータは、１０４ビットのデータブロックであるグループタイプ単位で連続的に伝送される。グループタイプには、その使用目的に応じて様々な種類があり、ＴＭＣデータはグループタイプ８Ａに属する。
【００２１】
最小ギャップ計測部１３は、ＲＤＳデータとして順次送信されてくるグループタイプのうち、ＴＭＣデータを含むグループタイプ８Ａ間の間隔で受信されたグループタイプ数を計測し、計測結果のグループタイプ数のうちの最小値を、ＴＭＣデータの受信局に固有なギャップとして決定する。演算部１４は、最小ギャップ計測部１３により決定されたギャップの値を用いて、カウンタ群１５を構成するカウンタＡ〜Ｄの仕様（カウント目標値）を定義する。
【００２２】
カウンタ群１５は、演算部１４によって所定の使用目的に応じたカウント目標値がそれぞれ設定されたカウンタ（第１〜第４のカウンタ）Ａ〜Ｄからなり、ＲＤＳデータに同期するＲＤＳクロックをトリガとして各カウント目標値をカウントする。これらカウンタＡ〜Ｄのカウント動作により、ＴＭＣデータの受信局と他の放送局とを切り替えるタイミングが与えられる。
【００２３】
適用カウンタ決定部１６は、ＲＤＳデータ受信状況及びＴＭＣデータの内容に応じて、カウンタ群１５のカウンタＡ〜Ｄのうちから適用カウンタを決定し、適用カウンタのカウント状況をラジオ制御部１７に通知する。ラジオ制御部１７は、適用カウンタ決定部１６から通知されたカウンタのカウント状況に基づいてサブチューナフロントエンド７によるＴＭＣデータの受信とこれ以外のラジオタスクの実行とを切り替え制御する。
【００２４】
なお、ＴＭＣデータは、一定時間ごとに最低２回連続して同じ内容のデータが繰り返し送信される（EN ISO 14819-1:2002）。このＴＭＣデータが送信される時間間隔で受信されたグループタイプ数がギャップであり、例えばギャップ３であれば３つ分のグループタイプがＴＭＣデータ間に受信される。
【００２５】
ＲＤＳ規格において、ＴＭＣデータの送信間隔（ＴＭＣデータが送信される時間間隔）はグループタイプ３Ａに定義されている。しかしながら、実際には、グループタイプ３Ａで送信されていない場合が多く、送信されていたとしても、フィールドにおける実際の時間間隔と一致していないことが多い。一方、ＲＤＳクロック（１１８７．５Ｈｚ）は実際のＦＭ放送局の副搬送波（５７ｋＨｚ）を４８分周することにより得られるため、精度が極めて高く、かつＲＤＳデータと同期がとれている。副搬送波はパイロットトーン（１９ｋＨｚ）の３次高調波であるため、パイロットトーンを放送信号に含むＦＭ放送局を受信すれば、精度の高いＲＤＳクロックを抽出することが可能である。
【００２６】
そこで、本発明では、ＲＤＳクロックをトリガとし、１０４ビットのグループタイプを計測単位として同一内容のＴＭＣデータを含むグループタイプ間のギャップを計測し、計測結果のギャップからカウンタＡ〜Ｄのカウント目標値を定義してＲＤＳクロックに同期したカウントを行う。このようにすることで、ＴＭＣデータを適確に受信しつつ、その合間に他のラジオタスクを効率良く実行することが可能である。
【００２７】
図３は、図２中のカウンタＡ〜Ｄの一例を説明するための図であり、各カウンタＡ〜Ｄの使用目的、詳細内容、カウントすべきグループタイプ数（カウント目標値）、設定した根拠を示している。図３に示すように、ＴＭＣデータを含むグループタイプ８Ａ間に伝送されるグループタイプ数を算出するためのカウンタとしてカウンタＡ，Ｂが定義される。
【００２８】
カウンタ（第１のカウンタ）Ａは、次回に受信されるだろうＴＭＣデータが前回に受信されたＴＭＣデータと同一内容であると予想される場合に、適用カウンタ決定部１６により適用され、当該同一内容のＴＭＣデータを含むグループタイプの受信をスキップしたラジオタスク（ＴＭＣデータ受信以外のラジオタスク）の実行時間を定義するカウンタである。
【００２９】
図３の例において、カウンタＡでカウントすべきグループタイプ数（カウント目標値）は、２×Ｇａｐ＋１である。このカウント目標値が、ＴＭＣデータを含むグループタイプの受信後、同一内容のＴＭＣデータを含むグループタイプの受信をスキップして、次の新しいＴＭＣデータを含むグループタイプが受信されるまでの間隔に相当する。
【００３０】
ここで、Ｇａｐは、最小ギャップ計測部１３が決定した最小ギャップである。カウンタＡは、ＲＤＳデータにおいて同一内容のＴＭＣデータが少なくとも２回連続して送信されることを考慮して設けられたものであり、上記カウント目標値までカウントすることによって同一内容のＴＭＣデータを含むグループタイプの受信がスキップされ、その間ＴＭＣデータ受信以外のラジオタスクを実施する。
【００３１】
カウンタ（第２のカウンタ）Ｂは、前回受信されたＴＭＣデータの内容が未知であるか、若しくは前回受信されたＴＭＣデータが今回受信したＴＭＣデータと同一内容であるとき、適用カウンタ決定部１６により適用されるカウンタであり、カウント目標値としてＧａｐ（最小ギャップ）分のグループタイプ数をカウントする。
【００３２】
ＴＭＣ規格である２回連続同一データ送信において、前回受信されたＴＭＣデータが今回受信したＴＭＣデータと同一内容である場合、次回は異なったＴＭＣデータが来る。このときと前回受信されたＴＭＣデータの内容が未知である場合はカウンタＢが適用され、カウンタＢ起動中はＴＭＣデータ受信以外のラジオタスクを実施する。
【００３３】
また、ＴＭＣデータ受信不能になった場合に適用されるのが、カウンタＣ，Ｄである。カウンタ（第３のカウンタ）Ｃは、ＴＭＣデータが何らかの影響で受信できなくなった時点で適用されるカウンタであり、受信断となった時点から、それまでの受信局からのＴＭＣデータ受信を断念するまでの受信待機時間をカウントする。
【００３４】
図３の例では、カウンタＣでカウントすべきグループタイプ数は、Ｇａｐ＋２＋１で定義されている。つまり、最小ギャップ（Ｇａｐ）分のグループタイプ数、このギャップ分の間隔で受信されるべき前のＴＭＣデータと後のＴＭＣデータのグループタイプ数（２）及びマージンとして１グループタイプ分（１）を加えた時間がＴＭＣデータ受信待機時間に相当する。
【００３５】
カウンタ（第４のカウンタ）Ｄは、カウンタＣでカウント目標値がカウントアップされた場合（ＴＭＣ受信待機がタイムアウトした場合）に適用されるカウンタであり、ＴＭＣデータ受信以外のラジオタスクを実施する時間をカウントする。図３において、カウンタＤのカウント目標値は、Ｇａｐ−１で定義される。つまり、最小ギャップ（Ｇａｐ）分のグループタイプ数から、カウンタＣでカウントしたマージン分のグループタイプ数（１）を引いた値である。
【００３６】
次に動作について説明する。
図４は、図１中のラジオ受信機による動作の流れを示すフローチャートであり、サブチューナフロントエンド７におけるＴＭＣデータ受信とその他のラジオタスクとの切り替え動作の流れを示している。
先ず、ラジオ制御部１７が、ＴＭＣデータを含むグループタイプを送信するＲＤＳ局（以下、ＴＭＣ受信局と適宜称す）にサブチューナフロントエンド７をチューニングする（ステップＳＴ１）。
【００３７】
チューニングが完了すると、サブチューナフロントエンド７が、ラジオアンテナ２を介してＴＭＣ受信局から放送を受信し、バンドパスフィルタ８により抽出されたＲＤＳ変調信号がＲＤＳ復調器９へ出力される。ＲＤＳ復調器９は、ＲＤＳ変調信号からＲＤＳクロック及びＲＤＳデータを復調し、受信局切り替え制御部１０Ａへ出力する。
【００３８】
最小ギャップ計測部１３は、ＲＤＳ復調器９からのＲＤＳクロック及びＲＤＳデータを入力すると、ＲＤＳデータ内のグループタイプ８Ａを特定して、グループタイプ８Ａ間の間隔に存在するグループタイプ数の最小値を、ＲＤＳクロックをトリガとしてカウントする。
【００３９】
そこで、最小ギャップ計測部１３では、所定の計測時間の間、ＴＭＣ受信局から受信されたＴＭＣデータを入力して上記カウント処理を実行し、計測結果として得られた８Ａデータ間のギャップの最小値（最小ギャップ）を抽出して当該ＴＭＣ受信局に固有な値とする（ステップＳＴ２）。最小ギャップ計測部１３で決定されたギャップ（最小ギャップ）は、最小ギャップ計測部１３から演算部１４へ出力される。
【００４０】
演算部１４は、最小ギャップ計測部１３から取得したギャップの値を用いて、図３に示したようなカウンタＡ〜Ｄのカウント目標値を定義する（ステップＳＴ３）。続いて、適用カウンタ決定部１６は、受信されたＴＭＣデータの内容やＲＤＳデータの受信状況に応じて、カウンタＡ〜Ｄから適用カウンタを決定する。適用カウンタが、ＴＭＣ受信時間並びにラジオタスク実行時間を意味し、その時間に応じてラジオ制御部１７がサブチューナフロントエンド７を制御し、ＴＭＣ受信と他のラジオタスクとを切り替える（ステップＳＴ４）。
【００４１】
また、ラジオ制御部１７は、電界低下等によるＴＭＣ受信不能に陥った場合、ＴＭＣ局の切替機能を有しており（ステップＳＴ５）、ＴＭＣ受信局の変更が設定されなければ、ステップＳＴ４に戻る。一方、ラジオ制御部１７は、新たなＴＭＣ受信局が設定されると、ステップＳＴ１に戻って新たなＴＭＣ受信局にチューニングし上述の処理を繰り返す。
【００４２】
次に、具体例を挙げて、カウンタＡ〜Ｄを用いたサブチューナ同調制御を説明する。
図５は、サブチューナが安定してＴＭＣデータを受信できる場合における処理を説明するための図である。なお、図５では、最小ギャップ（Ｇａｐ）が３グループタイプである場合を示している。図５に示すように、前回受信されたＴＭＣデータの内容が未知か、若しくは最新のＴＭＣデータが前回受信したＴＭＣデータの内容と一致するとき、適用カウンタ決定部１６は、カウンタＢを適用し、カウンタＢがカウント目標値になるまでの間、ラジオ制御部１７によってサブチューナフロントエンド７を制御し、上述した（１）〜（３）等のラジオタスクを実施する。
【００４３】
例えば、最初に「ＴＭＣ０」が受信された場合、当該ＴＭＣデータの内容は未知であるので、カウンタＢによるギャップ（Ｇａｐ）分のカウントが開始される。この間はグループタイプ８Ａ以外のグループタイプＧＴが送信されるので、ラジオ制御部１７が、サブチューナフロントエンド７を制御して、図５中に「Ｒａｄｉｏ」で示すラジオタスク（ＴＭＣ受信以外のラジオタスク）を実行する。
【００４４】
また、最新のＴＭＣデータが前回受信したＴＭＣデータの内容と一致しないとき、適用カウンタ決定部１６は、カウンタＡを適用して２×Ｇａｐ＋１（＝７）をカウントする。図５の例では、前回受信された「ＴＭＣ０」と最新の「ＴＭＣ１」とが異なる内容のＴＭＣデータであるので、最新の「ＴＭＣ１」に引き続いて同一内容のＴＭＣデータが送信されてくることが予想される。
【００４５】
そこで、カウンタＡがカウントしている間、ラジオ制御部１７が、サブチューナフロントエンド７を制御してＴＭＣ受信以外のラジオタスクを実行する。カウンタＡの適用によって、同一内容のＴＭＣデータを含むグループタイプの受信をスキップする。これによって、より多くの時間をＴＭＣ受信以外のラジオタスクに割り当てることができる。なお、図５では、同一内容のＴＭＣデータが３回連続して送信される場合を示している。
【００４６】
カウンタＡのカウント目標値をカウントし終わると、最新のＴＭＣデータ（ＴＭＣ１）が前回受信したＴＭＣデータ（ＴＭＣ１）の内容と一致するので、適用カウンタ決定部１６が、再びカウンタＢを選択して上述の処理を繰り返す。このようにして、ＴＭＣデータギャップ間でラジオタスクが実行される。
【００４７】
図６は、サブチューナが一時的にＴＭＣデータを受信できなかった場合の処理を説明するための図である。図６に示すように「ＴＭＣ０」が前回受信された後、カウンタＢがギャップのカウントを完了した際に送信される「ＴＭＣ１」のＴＭＣデータ、若しくは他のＲＤＳデータ（グループタイプ）が受信できなかった場合、適用カウンタ決定部１６は、カウンタＢからカウンタＣへ切り替える。
【００４８】
次に、不受信の時点からグループタイプごとの時間経過でカウント値をインクリメントすることにより、カウンタＣでのカウントを開始する。カウンタＣがカウントしている間、ラジオ制御部１７は、それまでのＴＭＣ受信局からのＴＭＣデータの受信待ち状態となる。つまり、ＴＭＣ受信局を直ちに切り替えず、それまでのＴＭＣ受信局のチューニングを維持する。
【００４９】
ここで、図６に示すように、カウンタＣがカウント目標値（Ｇａｐ＋２＋１）のカウントを完了する前にＴＭＣデータ受信が再開されると、適用カウンタ決定部１６は、前回のＴＭＣデータの内容（１回目のＴＭＣ１）が未知であるので、カウンタＣからカウンタＢへ切り替え、サブチューナが安定してＴＭＣデータを受信できれば、図５の場合と同様の処理が繰り返される。
【００５０】
図７は、サブチューナがＴＭＣデータを受信できず、カウンタＣがタイムアウトした場合の処理を説明するための図であり、図６の例でカウンタＣが目標値をカウントするまでにＴＭＣデータ又は他のＲＤＳデータが受信できなかった場合を示している。図７に示すように、カウンタＣがタイムアウトすると、適用カウンタ決定部１６は、カウンタＤを適用してカウントを開始する。この間、ラジオ制御部１７は、サブチューナフロントエンド７を制御してラジオタスク（ＴＭＣ受信以外のラジオタスク）を実行する。
【００５１】
カウンタＤがカウントを完了すると、適用カウンタ決定部１６は、カウンタＣに切り替えてカウントを開始するとともに、ラジオ制御部１７が、サブチューナフロントエンド７を制御してそれまでのＴＭＣ受信局へ再びチューニングする。これにより、ＴＭＣデータ受信が再度試行される。この状態で、図７に示すように、ＴＭＣデータ（ＴＭＣ２）を含むグループタイプが受信されると、図５の場合と同様の処理が繰り返される。一方、ＴＭＣデータが受信されずにカウンタＣが再度タイムアウトした場合は、上述の処理が繰り返される。
【００５２】
以上のように、この実施の形態１によれば、ＲＤＳデータにおけるＴＭＣデータを含むグループタイプ８Ａ間の間隔を、ＲＤＳクロックをトリガとして同期させてカウントするカウンタを備え、ラジオ制御部１７が、サブチューナフロントエンド７を制御して、グループタイプ８Ａを受信すると共に、カウンタのカウント中はＴＭＣデータの受信以外のラジオ処理を実行する。
この構成において、特にＴＭＣデータを含むグループタイプ８Ａ間の間隔で受信したグループタイプ数を計測し、グループタイプ数の最小値をギャップとして規定する最小ギャップ計測部１３を備え、カウンタＢが、ＲＤＳクロックに同期してギャップ分の間隔をカウントし、ラジオ制御部１７が、カウンタＢのカウント中はＴＭＣデータの受信以外のラジオ処理を実行するよう、サブチューナフロントエンド７を制御する。
このようにＦＭ放送局の副搬送波の分周から得られるため、周波数精度が高く、かつＲＤＳデータに精度良く同期するＲＤＳクロックをトリガとするカウンタでＴＭＣデータ間の間隔をカウントすることにより、ＲＤＳクロックに同期してＴＭＣデータを精度良く受信でき、かつＴＭＣデータの合間を適確に特定できることから、代替局の探索などのラジオ処理を効率良く実行することができる。例えば、ＲＤＳデータと同期しないラジオ受信機１内のタイマを使用する場合と比較すると、データ受信精度の向上を図ることができる。
【００５３】
また、この実施の形態１によれば、ＴＭＣデータを含むグループタイプ８Ａの受信後、繰り返して同一内容のＴＭＣデータを含むグループタイプ８Ａが送信されてから次にＴＭＣデータを含むグループタイプ８Ａが受信されるまでの間隔を、ＲＤＳクロックに同期してカウントするカウンタＡを備え、ラジオ制御部１７が、カウンタＡのカウント中はＴＭＣデータの受信以外のラジオ処理を実行するよう、サブチューナフロントエンド７を制御する。このようにすることによって、同じ内容のＴＭＣデータが連続することが予想される場合にその受信をスキップして効率良くＴＭＣデータ受信以外のラジオ処理（タスク）を実行することができる。
【００５４】
さらに、この実施の形態１によれば、ＲＤＳデータが受信断となった時点からＴＭＣデータを含むグループタイプ８Ａの受信待ちを行う待機間隔を、ＲＤＳクロックに同期してカウントするカウンタＣと、カウンタＣで待機間隔がタイムアウトした時点から所定のラジオ処理間隔を、ＲＤＳクロックに同期してカウントするカウンタＤとを備え、ラジオ制御部１７が、カウンタＣのカウント中はＴＭＣデータの受信待ちを行い、カウンタＤのカウント中はＴＭＣデータの受信以外のラジオ処理を実行するよう、サブチューナフロントエンド７を制御する。このようにすることによって、ＴＭＣデータが受信不能となった際に、効率良くＴＭＣデータ受信以外のラジオ処理（タスク）を実行することができ、かつ通信状態が復帰した後、直ちにＴＭＣデータの受信を再開することができる。
【産業上の利用可能性】
【００５５】
以上のように、この発明に係る受信装置は、ＴＭＣデータを安定して受信することができ、またＲＤＳデータが受信不能となっても復帰後直ちにＴＭＣデータを受信できるようにするために、放送局から放送信号を受信してラジオ音声を再生する第１の受信系統部と、前記放送信号中のＲＤＳデータを受信する第２の受信系統部とを備えた受信装置において、前記第２の受信系統部が、前記放送信号からＲＤＳデータ及びこれに同期するＲＤＳクロックを復調するＲＤＳ復調部と、前記ＲＤＳデータにおける交通情報を含むグループタイプ間の間隔を、前記ＲＤＳクロックに同期してカウントするカウンタと、前記交通情報を含むグループタイプを受信すると共に、前記カウンタのカウント中は前記交通情報の受信以外のラジオ処理を実行するラジオ制御部を備えるよう構成したので、車載用の受信装置に係り、特にＲＤＳ局から放送される交通情報を受信する受信装置などに用いるのに適している。
【図１】
2010004676.tif 000003
【図２】
2010004676.tif 000004
【図３】
2010004676.tif 000005
【図４】
2010004676.tif 000006
【図５】
2010004676.tif 000007
【図６】
2010004676.tif 000008
【図７】
2010004676.tif 000009
【国際調査報告】
2010004676.tif 000010
2010004676.tif 000011